(57)【要約】【課題】必要な領域の解像度を下げることなく、それ以外の領域のみ解像度を下げ、トータルのデータ量を削減しつつ、ユーザーが必要な領域を指定する手法を簡略化する。【解決手段】映像データを撮影する撮影装置本体１００と、ファインダー機能を有するリモートコントローラー１０１とを含む撮影装置において、映像データにおいて解像度を高くする領域を、所定の検出機能により設定する領域設定手段と、リモートコントローラー１０１に送信された映像データにおいて解像度を高くする領域を任意に指定する領域指定手段とを設け、設定された領域及び指定された領域を基に、映像データにおいて、解像度を高くする領域とこれよりも低い解像度とする領域とを決定する領域決定部１０５を設けた。そして領域決定部１０５の決定に応じて画像処理を行う画像処理部（１０６、１０７、１０８）で処理されたデータをリモートコントローラー１０１に送信するようにした。【選択図】  図１
2010147696.tif 000002
【特許請求の範囲】
【請求項１】
映像データを撮影する撮影装置本体と、ファインダー機能を有するリモートコントローラーとを含み、前記撮影装置本体から前記リモートコントローラーへ映像データを送信する撮影装置であって、
前記映像データにおいて第一の解像度とする領域を、所定の検出機能により設定する領域設定手段と、
前記リモートコントローラーに送信された映像データにおいて、前記第一の解像度とする領域を任意に指定することが可能な領域指定手段と、
前記領域設定手段で設定された領域及び前記領域指定手段で指定された領域を基に、前記映像データにおいて、前記第一の解像度とする領域とこれよりも低い第二の解像度とする領域とを決定する領域決定手段と、
前記領域決定手段の決定に応じて、前記映像データを、前記第一の解像度とする領域と前記第二の解像度とする領域とし、当該映像データのデータ量を変更させる画像処理手段とを有することを特徴とする撮影装置。
【請求項２】
前記領域決定手段は、前記領域設定手段で設定された領域と前記領域指定手段で指定された領域とが一致した場合、当該領域を前記第一の解像度とする領域と決定することを特徴とする請求項１に記載の撮影装置。
【請求項３】
前記領域決定手段は、前記領域指定手段で指定された領域が前記領域設定手段で設定された領域と異なる場合、前記領域指定手段で指定された領域を、前記第一の解像度とする領域と決定することを特徴とする請求項１に記載の撮影装置。
【請求項４】
前記領域決定手段が前記領域指定手段で指定された領域を、前記第一の解像度とする領域と決定した場合、前記撮影装置本体は、前記領域指定手段で指定された領域につきフォーカス処理を行い、
前記画像処理手段は、前記フォーカス処理された領域を、前記第一の解像度とすることを特徴とする請求項３に記載の撮影装置。
【請求項５】
前記領域設定手段の所定の検出機能は、顔検出機能又はオートフォーカス機能であることを特徴とする請求項１〜４のいずれか１項に記載の撮影装置。
【請求項６】
前記領域指定手段は、前記ファインダー機能を構成する表示部に搭載されたタッチパネルの操作に基づき、任意の領域を指定可能とすることを特徴とする請求項１〜５のいずれか１項に記載の撮影装置。
【請求項７】
前記解像度は、空間解像度又は時間解像度であることを特徴とする請求項１〜６のいずれか１項に記載の撮影装置。
【請求項８】
映像データを撮影する撮影装置本体と、ファインダー機能を有するリモートコントローラーとを含み、前記撮影装置本体から前記リモートコントローラーへ映像データを送信する撮影装置の画像処理方法であって、
前記映像データにおいて第一の解像度とする領域を、所定の検出機能により設定する領域設定ステップと、
ユーザ操作に基づき、前記リモートコントローラーに送信された映像データにおいて、前記第一の解像度とする領域を任意に指定する領域指定ステップと、
前記領域設定ステップで設定された領域及び前記領域指定ステップで指定された領域を基に、前記映像データにおいて、前記第一の解像度とする領域とこれよりも低い第二の解像度とする領域とを決定する領域決定ステップと、
前記領域決定ステップの決定に応じて、前記映像データを、前記第一の解像度とする領域と前記第二の解像度とする領域とし、当該映像データのデータ量を変更させる画像処理ステップとを有することを特徴とする撮影装置の画像処理方法。
【請求項９】
映像データを撮影する撮影装置本体と、ファインダー機能を有するリモートコントローラーとを含み、前記撮影装置本体から前記リモートコントローラーへ映像データを送信する撮影装置による画像処理をコンピュータに実行させるためのプログラムであって、
前記映像データにおいて第一の解像度とする領域を、所定の検出機能により設定する領域設定ステップと、
ユーザ操作に基づき、前記リモートコントローラーに送信された映像データにおいて、前記第一の解像度とする領域を任意に指定する領域指定ステップと、
前記領域設定ステップで設定された領域及び前記領域指定ステップで指定された領域を基に、前記映像データにおいて、前記第一の解像度とする領域とこれよりも低い第二の解像度とする領域とを決定する領域決定ステップと、
前記領域決定ステップの決定に応じて、前記映像データを、前記第一の解像度とする領域と前記第二の解像度とする領域とし、当該映像データのデータ量を変更させる画像処理ステップとをコンピュータに実行させるためのプログラム。
【発明の詳細な説明】
【技術分野】
【０００１】
本発明は撮影装置、その画像処理方法及びプログラムに関し、特に撮影装置で画像表示を行う際の画像圧縮に関する。
【背景技術】
【０００２】
近年デジタルカメラに代表される撮影装置においては、ライブビュー機能が搭載されており、撮影時に映像データをモニターに表示させ、ユーザーが確認しながら、撮影することができるようになっている。
【０００３】
これに関連し、使い勝手のよいデジタルカメラとして、リモートコントローラーに電子ビューファインダーを取り付けて、無線通信でカメラから映像を送りつつ遠隔地でも画像を確認しながら、撮影を行うことができるといった技術が特許文献１に開示されている。
【０００４】
上記のように無線通信で映像を送る場合は、送信可能なビットレートに限りがあるため、有線の通信よりも、送信する映像データ量を減らす必要がある。これについては、情報量を減らす手法として、特許文献２で示すような技術が開示されている。
【０００５】
【特許文献１】特開平５−７２６０８号公報
【特許文献２】特開平７−２８８８０６号公報
【発明の開示】
【発明が解決しようとする課題】
【０００６】
しかしながら、特許文献１に記載された技術では、映像データ量が多いため、送信時間が長くなり、撮影された画像が遅れて表示されてしまう。これにより、早い動きをしている物体の撮影等では、シャッターチャンスを逃してしまうといった問題があった。
【０００７】
また特許文献２に記載の技術では、ユーザーが領域を設定する手法が煩雑であり、また、領域を設定しなかった場合には、情報量の多いデータを送ることとなり、その際は特許文献１と同様の問題が発生してしまう。
【０００８】
本発明は係る問題点に鑑み、必要な領域の解像度を下げることなく、それ以外の領域のみ解像度を下げ、送信する映像データのトータルのデータ量を削減しつつ、ユーザーが必要な領域を指定する手法を簡略化することを目的とする。
【課題を解決するための手段】
【０００９】
本発明の撮影装置は、映像データを撮影する撮影装置本体と、ファインダー機能を有するリモートコントローラーとを含み、前記撮影装置本体から前記リモートコントローラーへ映像データを送信する撮影装置であって、前記映像データにおいて第一の解像度とする領域を、所定の検出機能により設定する領域設定手段と、前記リモートコントローラーに送信された映像データにおいて、前記第一の解像度とする領域を任意に指定することが可能な領域指定手段と、前記領域設定手段で設定された領域及び前記領域指定手段で指定された領域を基に、前記映像データにおいて、前記第一の解像度とする領域とこれよりも低い第二の解像度とする領域とを決定する領域決定手段と、前記領域決定手段の決定に応じて、前記映像データを、前記第一の解像度とする領域と前記第二の解像度とする領域とし、当該映像データのデータ量を変更させる画像処理手段とを有することを特徴とする。
また、本発明の撮影装置の画像処理方法は、映像データを撮影する撮影装置本体と、ファインダー機能を有するリモートコントローラーとを含み、前記撮影装置本体から前記リモートコントローラーへ映像データを送信する撮影装置の画像処理方法であって、前記映像データにおいて第一の解像度とする領域を、所定の検出機能により設定する領域設定ステップと、ユーザ操作に基づき、前記リモートコントローラーに送信された映像データにおいて、前記第一の解像度とする領域を任意に指定する領域指定ステップと、前記領域設定ステップで設定された領域及び前記領域指定ステップで指定された領域を基に、前記映像データにおいて、前記第一の解像度とする領域とこれよりも低い第二の解像度とする領域とを決定する領域決定ステップと、前記領域決定ステップの決定に応じて、前記映像データを、前記第一の解像度とする領域と前記第二の解像度とする領域とし、当該映像データのデータ量を変更させる画像処理ステップとを有することを特徴とする。
また、本発明のプログラムは、映像データを撮影する撮影装置本体と、ファインダー機能を有するリモートコントローラーとを含み、前記撮影装置本体から前記リモートコントローラーへ映像データを送信する撮影装置による画像処理をコンピュータに実行させるためのプログラムであって、前記映像データにおいて第一の解像度とする領域を、所定の検出機能により設定する領域設定ステップと、ユーザ操作に基づき、前記リモートコントローラーに送信された映像データにおいて、前記第一の解像度とする領域を任意に指定する領域指定ステップと、前記領域設定ステップで設定された領域及び前記領域指定ステップで指定された領域を基に、前記映像データにおいて、前記第一の解像度とする領域とこれよりも低い第二の解像度とする領域とを決定する領域決定ステップと、前記領域決定ステップの決定に応じて、前記映像データを、前記第一の解像度とする領域と前記第二の解像度とする領域とし、当該映像データのデータ量を変更させる画像処理ステップとをコンピュータに実行させるためのプログラムである。
【発明の効果】
【００１０】
本発明によれば、必要な領域の解像度は下げることなく、それ以外の領域のみ解像度を下げ、送信する映像データのトータルのデータ量を削減することができ、またユーザーが必要な領域を指定する手法を簡略化することができる。
【発明を実施するための最良の形態】
【００１１】
以下、本発明の好適な実施の形態を図面を用いて説明する。
（第１の実施の形態）
図１、図２及び図３を用いて、本発明の第１の実施の形態を説明する。図１は本発明の第１の実施の形態に係る撮影装置のブロック図である。なお、撮影装置は、以下で説明する撮影装置本体１００とリモートコントローラー１０１とを含むものとする。
【００１２】
図１において、１００は撮影装置本体、１０１はファインダー機能を有するリモートコントローラー（以下、単にコントローラーと称す）である。
【００１３】
先ず撮影装置本体１００において、１０２は撮影レンズ、１０３はＣＣＤなどの撮像素子、１０４は撮像素子１０３からの撮像信号を映像データに変換する信号処理部である。１０５は信号処理部１０４で処理された映像データの中から、必要とされる領域のみ決定する領域決定部、１０６は領域決定部１０５で決定された領域を映像データから切出す領域切出し部である。なお、領域決定部１０５は、解像度を他の領域よりも高くする領域を決定するものであるが、詳細については図２等を用いて説明する動作の流れで説明する。
【００１４】
また、１０７は領域決定部１０５で決定された領域以外の映像データを処理する背景画像処理部、１０８は領域決定部１０５で決定された領域の映像データを処理する領域画像処理部である。１０９は背景画像処理部１０７及び領域画像処理部１０８で得られた映像データを、コントローラー１０１に送信する画像送信回路である。また、１１０はコントローラー１０１側に配された領域情報送信回路１１８からの領域情報を受信する領域情報受信回路である。
【００１５】
一方、コントローラー１０１において、１１２は画像送信回路１０９から送られてきた映像データを受信する画像受信回路、１１３は受信した映像データを合成する画像合成部である。１１４は画像合成部１１３より生成された映像データに基づき駆動を行う駆動回路であり、１１５は駆動回路１１４の駆動によって、映像データを表示させる表示部である。
【００１６】
また、１１６はユーザーの着目している領域を検出する領域検知部、１１７は領域検知部１１６で検出した領域をデータ（情報）に変更する領域指定部である。１１８は領域指定部１１７で生成された領域データ（領域情報）を撮影装置本体１００に送信する領域情報送信回路である。
【００１７】
次に、図２は本実施の形態に係る撮影装置の動作を説明するフローチャートである。図２において、図２（ａ）は撮影装置本体１００側の動作の流れ、図２（ｂ）はコントローラー１０１側の動作の流れを示している。また、図３は撮影装置本体１００で取り込まれた映像データ及びコントローラー１０１側で表示される映像データを示した図である。以下、これらの図を用いて撮影装置の動作の説明をする。
【００１８】
先ず、図２（ａ）に示す撮影装置本体１００側の動作の流れを説明する。
ステップＳ２０１において撮影装置本体１００は、撮像素子１０３からの動画に係る映像データを取り込み、動画の１フレーム分のデータごとに信号処理部１０４により信号処理を行う。以下では、このとき信号処理されたデータを図３（ａ）に示すものとして説明をする。
【００１９】
次にステップＳ２０２において撮影装置本体１００は、領域決定部１０５により信号処理部１０４で処理された映像データの中から、第一の領域を決定（設定）する。ここで、第一の領域は予め所定の条件あるいは検出機能により定められるもので、例えばカメラの画像認識方法である顔検出機能によって人の顔の領域を選択したり、オートフォーカス機能でフォーカスされた領域を選択したりすることで設定される。
【００２０】
次にステップＳ２０３において撮影装置本体１００は、コントローラー１０１からの領域指定（第二の領域の指定）の情報の有無を判断する。詳細は後述するが、第二の領域の指定はユーザーがコントローラー１０１において任意に行うことができるものである。ここで、コントローラー１０１からの第二の領域の指定が無ければステップＳ２０４に進み、指定があった場合はステップＳ２０７に進む。なお、ステップＳ２０７以降の説明は、図２（ｂ）を用いてコントローラー１０１側の動作を説明した後に説明する。
【００２１】
第二の領域指定が無かった場合のステップＳ２０４においては、撮影装置本体１００は、ステップＳ２０２で設定された第一の領域の画像を切出す。
【００２２】
次にステップＳ２０５において撮影装置本体１００は、映像データにおける第一の領域についての画像処理を行うが、この第一の領域の画像圧縮率は低くし、解像度（本発明でいう第一の解像度に対応する）は高い状態にする。続いて、ステップＳ２０６においては、撮影装置本体１００は、第一の領域以外の部分について画像処理を行うが、この第一の領域以外の画像圧縮率は高くし、解像度（本発明でいう第二の解像度に対応する）を低い状態にする。
【００２３】
ステップＳ２０５及びＳ２０６の処理を具体的に説明すると、仮に第一の領域設定方法で顔認識の技術を使ったならば、このステップＳ２０５及びＳ２０６では、ユーザーが着目しているであろう顔などの領域に関しては、解像度は高くなる。一方、ユーザーが着目していないであろう背景などの領域に関しては、解像度は低くなる。このようにすることで、映像データ全体のデータ量が低く抑えられる。
【００２４】
そして、ステップＳ２０５及びＳ２０６の処理の後のステップＳ２１０においては、撮影装置本体１００は、ステップＳ２０５及びＳ２０６で処理した映像データを、画像送信回路１０９によりコントローラー１０１に送信する。
【００２５】
次に、図２（ｂ）に示すコントローラー１０１側の動作の流れを説明する。
ステップＳ２１１においてコントローラー１０１は、ステップＳ２１０で画像送信回路１０９から送信された映像データを画像受信回路１１２で受信する。この映像データ送受信においては、映像データ全体のデータ量を低く抑えているため、無線通信などの低い通信ビットレートであっても、送受信にかかる時間を短くすることができる。
【００２６】
次にステップＳ２１２においてコントローラー１０１は、画像合成部１１３によりステップＳ２０５及びＳ２０６で処理された映像データを合成し、続いてステップＳ２１３において表示部１１５に表示する。ここで表示する合成された画像データを図３（ｂ）に示す。
【００２７】
図３（ｂ）に示す映像データでは、顔認識で設定された領域３０１（第一の領域）は解像度が高くなっており、ここではイメージしやすいように、実線で表している。一方、領域３０１以外の部分の領域３０２（背景画像など）は解像度が低くなっており、ここではイメージしやすいように点線で表している。
【００２８】
次にステップＳ２１４においてコントローラー１０１は、ユーザーが表示された映像データを確認して指定した着目したい領域である第二の領域を、ユーザ操作を基に指定する。
【００２９】
ユーザーが第二の領域を指定する方法は、本実施の形態では図３（ｃ）で示すように、撮影装置本体１００が設定した、第一の領域の枠（すなわち、領域３０１）が設定されており、それをユーザー３０３（図中の手を表したもの）が選択指定するようにする。ここでは、表示部１１５に搭載されるタッチパネルディスプレイ等を想定しており、ユーザー３０３が表示部１１５に表示されている領域を触れると着目した領域として第二の領域が選択される仕組みになっている。この他の態様としては、リモートコントローラー１０１にある種々のコントロールボタン、例えば十字キー等を使って着目した領域を指定可能とするものであってもよい。なお、タッチパネルディスプレイなどを用いた場合には、着目する領域を触れるだけでよいので、ユーザーにとっての操作は簡単である。
【００３０】
次にステップＳ２１５においてコントローラー１０１は、第二の領域の指定があったかどうかを確認し、指定があった場合はステップＳ２１６に進み、特に指定が無かった場合はステップＳ２１１の映像データ受信に戻る。
【００３１】
ステップＳ２１６においては、コントローラー１０１は、第二の領域に関する情報（第二の領域情報）を領域指定部１１７により生成し、領域情報送信回路１１８から撮影装置本体１００側に送信する。
【００３２】
ここで図２（ａ）に戻り、ステップＳ２０７以降の動作の説明をする。
ステップＳ２０７において撮影装置本体１００は、ステップＳ２１６で送信された第二の領域情報を基に、必要となる領域を決定し、これを第二の領域画像として切り出す。
【００３３】
次にステップＳ２０８において撮影装置本体１００は、第二の領域の画像処理を行うが、この第二の領域の画像圧縮率は低くし、解像度（本発明でいう第一の解像度に対応する）は高い状態にする。続いてステップＳ２０９においては、第二の領域以外の画像処理を行うが、この第二の領域以外の画像圧縮率は高くし、解像度（本発明でいう第二の解像度に対応する）を低い状態にする。
【００３４】
ステップＳ２０８及びＳ２０９の処理を上記のようにすることで、ユーザーが着目している必要な領域に関しては解像度が高くなり、ユーザーが着目していない背景などの領域に関しては解像度が低くなり、映像データ全体のデータ量を低く抑えることができる。
【００３５】
そして、ステップＳ２１０においては、撮影装置本体１００は、ステップＳ２０８及びＳ２０９で処理した映像データを、画像送信回路１０９でコントローラー１０１側に送信する。この映像データを受信したコントローラー１０１はステップＳ２１１からの処理を順次行うが、この場合に表示部１１５に表示される映像データは図３（ｄ）に示すものとなる。
【００３６】
図３（ｄ）に示す映像データでは、ユーザーの指定した領域３０４のみが解像度が高くなっており、それ以外の領域３０５は解像度が低くなっている。
【００３７】
なお、ここで説明した処理における解像度とは、空間解像度、及び、着目した領域のフレームレートなどの時間解像度の双方を想定しており、上述した処理はその双方、又は少なくとも一方に適応してなされるものである。また、映像データの解像度の圧縮率に関しては、通信レートを検出し、通信可能なデータ量に圧縮するように制御することが望ましい。
【００３８】
以上のように、本実施の形態に係る撮影装置は、必要な領域の解像度は高くし（換言すれば、低くせず）、それ以外の領域の解像度を低くして、リモートコントローラー１０１に送信する映像データ全体のデータ量を下げる構成を有する。
そして、この構成において、撮影装置本体１００側で設定された領域とリモートコントローラー１０１で指定された領域の両方に基づき、映像データの解像度を高くする領域を決めることができるようにしている。これにより、ユーザーが必要とする領域、即ち解像度を高くする領域を指定する手法を簡略化することができ、また所望の映像データをリモートコントローラー１０１で確認することができるため使い勝手に優れることになる。
【００３９】
またユーザーが領域を指定しなくても、撮影装置本体１００側で領域が設定され、その設定された領域以外の領域は解像度を下げるため、常時、データ量を小さくした映像データを送信することができる。そのため、低いビットレートの無線通信などでも、送信時間を短縮し、実際の場面と表示されている映像データとの遅延を少なくすることができる。
【００４０】
（第２の実施の形態）
次に、本発明の第２の実施の形態を説明する。第１の実施の形態では撮影装置本体１００とコントローラー１０１側での設定あるいは指定された領域とが一致した場合を説明した。しかし、ユーザーが着目した領域が撮影装置本体１００で設定された領域と一致しない場合も想定される。本実施の形態では、そのような場合に対応するものである。
【００４１】
図４は、本実施の形態に係る撮影装置の動作を説明するフローチャートであり、図４（ａ）は撮影装置本体１００側の動作の流れ、図４（ｂ）はコントローラー１０１側の動作の流れを示している。なお、図４において、図２と同様なステップに関しては、同一番号を付け、ここでの説明は省略する。また、装置のシステム構成も第１の実施の形態と同様のため説明は省略する。
【００４２】
図４において、第１の実施の形態に係る動作との違いは、ステップＳ２２０以降の動作である。ステップＳ２２０では、コントローラー１０１側で指定される第二の領域を判別するが、この第二の領域がポイント指定に係るものか領域指定に係るものかの判断を行うようにする。
【００４３】
ポイント指定とは、図４（ｂ）の第二の領域指定（ステップＳ２１４）で、例えば、タッチパネルを使い、ユーザーが着目する点をタッチする場合である。また、領域指定とは、第二の領域指定（ステップＳ２１４）で、ユーザーが着目する領域の範囲を指定した場合であり、例えばタッチパネルの一点を指した後ドラッグした場合などである。
【００４４】
先ず、ステップＳ２２０で領域指定であった場合を図５も用いて説明する。図５は、本実施の形態において撮影装置本体１００で取り込まれた映像データ及びコントローラー１０１側で表示される映像データを示した図である。なお、図５において、図３と同じものは、同じ番号を付け、ここでの説明を省略する。
【００４５】
コントローラー１０１の表示部１１５での表示は、図５（ｂ）の状態であるがユーザーが着目している領域が異なるとすると、ユーザーは着目している領域を、図５（ｃ）の３０６で示すように左上の点から右下の点（矢印方向）までドラッグして指定する。これにより、図５（ｃ）に示す第二の領域３０７が指定されることになる。なお、この指定方法は一例である。
【００４６】
このようにして第二の領域３０７が指定された場合、ステップＳ２１６においてコントローラー１０１側から第二の領域情報が撮影装置本体１００側に送信され、撮影装置本体１００では、ステップＳ２２０からステップＳ２２１へ進む。ステップＳ２２１では、第一の領域に係わらず、第二の領域をユーザーが着目する領域として判断し、第二の領域の画像切出しを行う。そしてステップＳ２２２では、画像データにおける第二の領域の解像度を高くして、ステップＳ２２３では第二の領域以外の領域の解像度を低くし、ステップＳ２１０で映像データを送信する。
【００４７】
その後、コントローラー１０１側では、ステップＳ２１１、Ｓ２１２を経て、ステップＳ２１３で映像データが表示される。このときの映像データとしては、図５（ｄ）に示すようになり、ユーザー指定した着目している領域３０８のみ解像度が高く、それ以外の領域３０９は解像度が低くなったものが表示される。
【００４８】
次に、ステップＳ２２０でポイント指定であった場合を説明する。ポイント指定は、ユーザーがタッチパネルの着目個所をタッチしたときなどであるが、この場合ステップＳ２２０からステップＳ２２４に進む。そして、第一の領域と一致しているか否かを判断し、第一の領域と一致している場合はステップＳ２２５に進み、一致していない場合はステップＳ２２８に進む。
【００４９】
ステップＳ２２５に進んだ場合は、一致した領域の画像を切り出し、続いてステップＳ２２６で一致した領域の解像度を高くし、ステップＳ２２７で一致した領域以外の領域の解像度を低くし、ステップＳ２１０で映像データを送信する。
【００５０】
一方、ステップＳ２２８に進んだ場合は、新たに第二の領域を切り出すようにする。ステップＳ２２８以降の動作を図６を用いつつ説明する。図６は、本実施の形態で撮影装置本体１００で取り込まれた映像データ及びコントローラー１０１側で表示される映像データを示した図である。なお、図６において、図３と同じものは、同じ番号を付け、ここでの説明を省略する。
【００５１】
図６（ｂ）においては、撮影装置本体１００が設定した第一の領域は３１０で示し、第一の領域以外は３１１で示している。この例では、図６（ｃ）に示すように、ユーザー３１２は、撮影装置本体１００が設定した第一の領域３１０を指定せず、領域３１１のあるポイントを指定している（図中、×印）。このような場合、ステップＳ２２０ではポイント指定と判断され、続いてステップＳ２２４では第一の領域と第二の領域とが一致しないと判断されて、ステップＳ２２８に進むことになる。
【００５２】
そしてステップＳ２２８では、ユーザーがポイント指定した第二の領域にフォーカス処理を行い、このフォーカスされた枠を着目した領域して処理を行う。そしてステップＳ２２９では第二の領域でフォーカスされた枠を切り出し、続いてステップＳ２３０では第二の領域でフォーカスされた枠の解像度を高くし、ステップＳ２３１では第二の領域でフォーカスされた枠以外の領域の解像度を低くする。そしてステップＳ２３０及びＳ２３１で処理された映像データを、ステップＳ２１０で映像送信する。
【００５３】
その後、コントローラー１０１側では、ステップＳ２１１、Ｓ２１２を経て、ステップＳ２１３で映像データが表示される。このときの映像データとしては、図６（ｄ）に示すようになり、ユーザーが着目している領域３１３のみ解像度が高く、それ以外の領域３１４は解像度が低くなったものが表示される。
【００５４】
なお、ここで説明した処理における解像度とは、空間解像度、及び、着目した領域のフレームレートなどの時間解像度の双方を想定しており、上述した処理はその双方、又は少なくとも一方に適応してなされるものである。また、映像データの解像度の圧縮率に関しては、通信レートを検出し、通信可能なデータ量に圧縮するように制御することが望ましい。
【００５５】
以上のように、本実施の形態に係る撮影装置では、撮影装置本体１００側での領域設定と、リモートコントローラー１０１側での領域指定とが一致しない場合には、ユーザーの指定に基づき、再度、解像度を高くする領域を決めることができるようにしている。これにより、ユーザーが領域を指定する手法を簡略化するとともに、ユーザーは所望の映像データを確認できるため使い勝手が良好なものとなる。
【００５６】
またユーザーが領域を指定しなくても、撮影装置本体１００側で領域が設定され、その設定された領域以外の領域は解像度を下げるため、常時、データ量を小さくした映像データを送信することができる。そのため、低いビットレートの無線通信などでも、送信時間を短縮し、実際の場面と表示されている映像データとの遅延を少なくすることができる。
【００５７】
なお、本発明の目的は、以下の処理を実行することによっても達成される。即ち、上述した実施の形態の機能を実現するプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００５８】
この場合、記憶媒体から読み出されたプログラムコード自体が前述した実施の形態の機能を実現することになり、そのプログラムコード及び該プログラムコードを記憶した記憶媒体は本発明を構成することになる。
【００５９】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００６０】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【００６１】
更に、前述した実施の形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００６２】
【図１】本発明の第１の実施の形態に係る撮影装置のブロック図である。
【図２】本発明の第１の実施の形態に係る撮影装置の動作を説明するフローチャートである。
【図３】本発明の第１の実施の形態において、撮影装置本体で取り込まれた画像データ及びリモートコントローラー側で表示される映像データを示した図である。
【図４】本発明の第２の実施の形態に係る撮影装置の動作を説明するフローチャートである。
【図５】本発明の第２の実施の形態において、撮影装置本体で取り込まれた画像データ及びリモートコントローラー側で表示される映像データを示した図である。
【図６】本発明の第２の実施の形態において、撮影装置本体で取り込まれた画像データ及びリモートコントローラー側で表示される映像データを示した図である。
【符号の説明】
【００６３】
１００  撮影装置本体
１０１  リモートコントローラー
１０２  撮影レンズ
１０３  撮像素子
１０４  信号処理部
１０５  領域決定部
１０６  領域切出し部
１０７  背景画像処理部
１０８  領域画像処理部
１０９  画像送信回路
１１０  領域情報受信回路
１１２  画像受信回路
１１３  画像合成部
１１４  駆動回路
１１５  表示部
１１６  領域検知部
１１７  領域指定部
１１８  領域情報送信回路
【図１】
2010147696.tif 000003
【図２】
2010147696.tif 000004
【図３】
2010147696.tif 000005
【図４】
2010147696.tif 000006
【図５】
2010147696.tif 000007
【図６】
2010147696.tif 000008